(57)【特許請求の範囲】
【請求項１】
カード発行後は書き換えない表示情報を印刷する第１印刷領域と、カード発行後に書き換える可能性のある表示情報を印刷する第２印刷領域とを、共に熱エネルギに感応して状態が変化する感熱材で形成した印刷層を備え、少なくとも前記第２印刷領域を、熱エネルギに感応して可逆的に状態が変化する可逆性感熱材で形成したリサイクルカードを印刷処理するカード処理装置であって、
熱エネルギを発生させて前記印刷層に表示情報を印刷する感熱式印刷手段と、
挿入された前記リサイクルカードを搬送する搬送手段と、
前記印刷層の第１及び第２印刷領域に印刷するそれぞれの表示情報を印刷方法及び印字位置と対応付けて記憶する記憶手段と、
前記リサイクルカードの搬送位置を検出する位置検出手段と、
前記記憶手段に記憶された印刷方法の情報に基づいて印刷方法に従った熱エネルギ発生状態となるよう感熱式印刷手段を制御すると共に、位置検出手段の検出出力と前記印字位置情報とに基づいて各表示情報が対応付けられた所定の各印刷領域に印刷されるよう前記搬送手段の搬送動作を制御する制御手段と、
を備えることを特徴とするカード処理装置。
【請求項２】
前記制御手段が、前記第２印刷領域への印刷時は、表示情報を消去するための熱エネルギを発生した後に、前記記憶手段に記憶された表示情報を印刷するための熱エネルギを発生するよう前記感熱式印刷手段の熱エネルギ発生状態を制御する構成である請求項１に記載のカード処理装置。
【請求項３】
印刷された表示情報の文字方向がカード搬送方向と異なるよう表示情報を印刷する印刷設定と印刷された表示情報の文字方向がカード搬送方向と同じとなるよう表示情報を印刷する印刷設定とを、切換え設定できる構成である請求項１又は２に記載のカード処理装置。
【請求項４】
ＩＣチップからのデータ読み込み及びＩＣチップへのデータ書込みが可能なリード／ライト手段を付加した請求項１〜３のいずれか１つに記載のカード処理装置。
【請求項５】
健康保険証の表示情報を印刷処理する構成である請求項１〜４のいずれか１つに記載のカード処理装置。
【請求項６】
健康保険証の表示情報を個人別に記録管理するデータ管理手段を付加した請求項５に記載のカード処理装置。
【発明の詳細な説明】
【０００１】
【発明の属する技術分野】
本発明は、表示情報の書き換えが可能なリサイクルカードを印刷処理するカード処理装置に関し、特に、カード発行後に書き換えない表示情報と書き換えの可能性がある表示情報を混在して印刷するリサイクルカードを印刷処理するカード処理装置に関する。
【０００２】
【従来の技術】
例えば、健康保険被保険者証（以下、健康保険証とする）や企業の社員証等の証明証は、所有者の個人情報や発行者の情報等を印刷表示して容易に確認できるようにしているのが一般的である。例えば、健康保険証の例では、被保険者の個人情報として氏名、生年月日、住所等が印刷されており、発行者の情報として保険者（健康保険組合）の名称、事業所所在地等が印刷されている。このような表示情報には、発行後は変更の必要がない表示情報（所有者の氏名、生年月日等）と発行後に変更される可能性のある表示情報（所有者の住所、保険者の名称、事業所所在地等）が混在するが、従来では、例えば所有者の住所等に変更が生じた時は、証明書を新規に再発行して対応している。
【０００３】
【発明が解決しようとする課題】
ところで、近年、健康保険証に関し、被保険者だけでなく個々の被扶養者も所有するよう個人カード化が提案されている。このような証明証類の個人カード化が実用化された場合には、カードの発行枚数の増加が予想される。また、ＩＣカード化することも考えられる。このような場合、従来のように印刷する表示情報の変更の度にカードを新規に再発行し古いカードを廃棄したのでは、資源の無駄であり、高価なＩＣカードではコストもかかる。
【０００４】
このため、個人カード化の実用化においては、発行後に変更の可能性がある表示情報だけを書き換え可能として、表示情報に変更が生じてもリサイクルできるカードが望ましい。また、表示情報を確認する側が、確認すべき内容を容易に判別確認できることが望ましい。
本発明は上記問題点に着目してなされたもので、カード発行後に書き換えない表示情報と書き換えの可能性がある表示情報を混在して印刷するリサイクルカードの印刷処理に好適なカード処理装置を提供する。
【０００５】
【課題を解決するための手段】
このため、請求項１の発明のカード処理装置は、カード発行後は書き換えない表示情報を印刷する第１印刷領域と、カード発行後に書き換える可能性のある表示情報を印刷する第２印刷領域とを、共に熱エネルギに感応して状態が変化する感熱材で形成した印刷層を備え、少なくとも前記第２印刷領域を、熱エネルギに感応して可逆的に状態が変化する可逆性感熱材で形成したリサイクルカードを印刷処理するカード処理装置であって、熱エネルギを発生させて前記印刷層に表示情報を印刷する感熱式印刷手段と、挿入された前記リサイクルカードを搬送する搬送手段と、前記印刷層の第１及び第２印刷領域に印刷するそれぞれの表示情報を印刷方法及び印字位置と対応付けて記憶する記憶手段と、前記リサイクルカードの搬送位置を検出する位置検出手段と、前記記憶手段に記憶された印刷方法の情報に基づいて印刷方法に従った熱エネルギ発生状態となるよう感熱式印刷手段を制御すると共に、位置検出手段の検出出力と前記印字位置情報とに基づいて各表示情報が対応付けられた所定の各印刷領域に印刷されるよう前記搬送手段の搬送動作を制御する制御手段とを備える構成とした。
【００１１】
かかる構成では、カードが挿入されると搬送手段によりカードが搬送され、カードの搬送位置が位置検出手段で検出される。制御手段は、位置検出手段の検出出力と記憶手段に記憶された印刷層の第１及び第２印刷領域に印刷する表示情報、印刷方法及び印字位置の対応関係情報に基づいて、それぞれの表示情報が記憶されている所定の印字位置且つ印刷方法で印刷されるよう感熱式印刷手段の熱エネルギ発生状態と搬送手段の搬送動作を制御する。
【００１２】
具体的には、前記制御手段は、請求項２のように、前記第２印刷領域への印刷時に、表示情報を消去するための熱エネルギを発生した後に、前記記憶手段に記憶された表示情報を印刷するための熱エネルギを発生するよう前記感熱式印刷手段の熱エネルギ発生状態を制御する構成である。
かかる構成では、第２印刷領域に印刷された表示情報を、新たに記憶された表示情報を書き換えるようになる。
【００１３】
請求項３のように、印刷された表示情報の文字方向がカード搬送方向と異なるよう表示情報を印刷する印刷設定と印刷された表示情報の文字方向がカード搬送方向と同じとなるよう表示情報を印刷する印刷設定とを、切換え設定できる構成とすれば、縦型のカードでも横型のカードでも作成できるようになる。
請求項４のように、ＩＣチップからのデータ読み込み及びＩＣチップへのデータ書込みが可能なリード／ライト手段を付加すれば、非接触ＩＣカードにも対応できるようになる。
【００１４】
請求項５のように、健康保険証の表示情報を印刷処理する構成とすれば、健康保険証の個人カード化に対応できるようになる。この場合、請求項６のように、健康保険証の表示情報を個人別に記録管理するデータ管理手段を付加すれば健康保険証カードの発行、更新或いは表示情報の変更等が容易となる。
【００１５】
【発明の実施の形態】
以下、本発明の実施形態を図面に基づいて説明する。
図１は、本発明に係るカード処理装置で印刷処理可能なリサイクルカードの第１実施形態の積層状態を示す概略構成図である。
図１において、本実施形態のリサイクルカード１は、ＩＣチップ（図示せず）を埋め込んだＩＣ埋込層２の両面に、カード１の基材となる例えばＰＥＴ（ポリエチレン・テレフタレート）等からなる基材層３、４が設けられ、カード表面側（図の上側）の基材層３表面上に、印刷層５が積層される。この印刷層５は、カード発行後は書き換えない表示情報を印刷する第１印刷領域５Ａとカード発行後に書き換える可能性のある表示情報を印刷する第２印刷領域５Ｂとを有し、第１印刷領域５Ａと第２印刷領域５Ｂは、熱エネルギに感応して状態が変化する互いに異なる感熱材で形成される。印刷層５上には、例えば通常のオフセット印刷用の印刷層６が積層される。また、カード裏面側（図の下側）の基材層４表面上には、印刷層６と同様のオフセット印刷用印刷層７が積層される。
【００１６】
前記印刷層５の第１印刷領域５Ａは、熱エネルギに感応して非可逆的に状態が変化する非可逆性感熱材、例えばサーマル印刷用感熱材等で形成され、印刷内容の書き換え（リライト）ができないサーマル印刷領域である。第２印刷領域５Ｂは、熱エネルギに感応して可逆的に状態が変化する可逆性感熱材、例えばロイコ色素系のロイコリライト印刷用感熱材で形成され、印刷内容のリライト処理が可能なロイコリライト印刷領域である。従って、第１及び第２印刷領域５Ａ，５Ｂは共に、感熱式印刷機構で印刷処理が可能であり、印刷時の熱エネルギ発生状態をそれぞれの印刷方法に適するよう制御するだけで各印刷領域に表示情報を印刷できる。
【００１７】
かかる第１実施形態のリサイクルカード１を、例えば健康保険証や身分証明書等に適用する場合の例について説明する。
この場合、発行するカードに共通の印刷内容（例えば枠線、表示項目、注意事項等）を、最外面の印刷層６、７にカード製造時に予め印刷する。こうすることにより、同種のカードを同時に多数枚製造できると共に、カード発行時に印刷データを少なくでき印刷処理時間を短縮できる利点がある。そして、カード発行時に、発行後は書き換えない表示情報（例えば所有者の氏名、生年月日、交付日等）を第１印刷領域（サーマル印刷領域）５Ａに印刷し、発行後に書き換える可能性がある表示情報（例えば所有者の住所、有効期限等）を第２印刷領域（ロイコリライト印刷領域）５Ｂに印刷する。また、ＩＣ埋込層２内のＩＣチップには、表示情報に加えその他の個人管理データ等を書き込むことができる。
【００１８】
かかる構成のリサイクルカード１によれば、カード更新時や表示情報の変更が必要になった場合には、第２印刷領域５Ｂをリライト処理すればよく、新たなカードを使用せずに発行済みのカードをリサイクルできる。また、リライト処理できない第１印刷領域５Ａを設けてカード発行後は書き換えない表示情報を印刷するようにしたので、第１印刷領域５Ａの表示情報が誤ってリライト処理されることを防止できると共に、不正な表示情報の変更も防止できる。また、非接触ＩＣカードとしての機能も備えているので、高機能及び多機能対応のカードとして使用できる。更には、サーマル印刷領域５Ａは印字が黒色となるので、ロイコリライト印刷領域５Ｂを、印字が黒色以外の例えば青色となるロイコ色素系感熱材で形成すれば、サーマル印刷領域５Ａとロイコリライト印刷領域５Ｂの表示情報の識別性を高められ、表示情報を内容別に容易に判別できるようになる。
【００１９】
図２は、本発明に係るカード処理装置で印刷処理可能なリサイクルカードの第２実施形態の積層状態を示す概略構成図である。尚、図１の第１実施形態と同一部分には同一符号を付して説明を省略する。
図２に示す第２実施形態のリサイクルカード１′は、裏面側の基材層４と印刷層７との間に、印刷層５の第２印刷領域（ロイコリライト印刷領域）５Ｂと同一のロイコ色素系感熱材で形成した印刷層８を設けた構成である。その他の構成は第１実施形態のカード１と同様である。
【００２０】
かかる第２実施形態のリサイクルカード１′によれば、カード裏面側にも発行後に書き換える可能性のある表示情報を印刷することができる。尚、印刷層８は、印刷層５の第１印刷領域（サーマル印刷領域）５Ａと同一の非可逆性感熱材で形成してもよいが、この場合は、言うまでもなくカード裏面側に印刷する表示情報は、発行後は書き換えない表示情報にする。
【００２１】
図３は、本発明に係るカード処理装置で印刷処理可能なリサイクルカードの第３実施形態の積層状態を示す概略構成図である。尚、図２の第２実施形態と同一部分には同一符号を付して説明を省略する。
図３の第３実施形態のリサイクルカード１″は、第２実施形態のカード１′の印刷層５の代わりに印刷層９を設け、印刷層８の代わりに印刷層１０を設けた構成である。前記印刷層９は、カード発行後は書き換えない表示情報を印刷する第１印刷領域９Ａとカード発行後に書き換える可能性のある表示情報を印刷する第２印刷領域９Ｂを、互いに印刷時の発色が異なるロイコ色素系感熱材で形成したものであり、例えば第１印刷領域９Ａは印字が黒色となり、第２印刷領域９Ｂは印字が青色となるような感熱材で形成する。印刷層１０は、印刷層９と同一の構成であり、印字が黒色となる感熱材からなる印刷領域１０Ａと印字が青色となる感熱材からなる印刷領域１０Ｂを有する。
【００２２】
かかる第３実施形態のリサイクルカード１″では、発行後は書き換えない表示情報（例えば所有者の氏名、生年月日、交付日等）を誤って印刷したような場合に、リライト処理により修正することが可能である。
尚、上述の各実施形態では非接触ＩＣカードに印刷する例を示したが、非接触ＩＣカードに限定するものではなく、磁気カードや通常のカード等でもよいことは言うまでもない。
【００２３】
図４及び図５に、第２実施形態のリサイクルカード１′を健康保険証に適用した例を示す。
図４は、印刷された表示情報の文字方向がカード搬送方向と異なるよう表示情報を印刷した縦型カードの印刷例を示し、図５は、印刷された表示情報の文字方向がカード搬送方向と同じとなるよう表示情報を印刷した横型カードの印刷例を示す。図４，５の（Ａ）、（Ｂ）はそれぞれ表側、裏側を示す。
【００２４】
図４及び図５において、カードに共通する印刷内容（枠線、保険者番号、健康保険組名、各表示項目、注意事項等）は、カード製造時に、最外面のオフセット印刷層６、７に例えば印字を緑色等にして印刷する。発行後は書き換えしない表示情報（交付日、所有者の氏名、生年月日、性別、被保険者名、資格取得日等）は、印刷層５の第１印刷領域（サーマル印刷領域）５Ａに印刷し、印字は黒色となる。発行後に書き換えの可能性のある表示情報（所有者の住所、記号、番号、有効期限、事業所の所在地及び名称等）は、印刷層５の第２印刷領域（ロイコリライト印刷領域）５Ｂに印刷し、印字は青色となる。尚、図中の斜線部分は印字される部分を示し、必ずしも図１〜図３で示した第１印刷領域５Ａ及び第２印刷領域を備える印刷層５全体を示すものではない。また、図４及び図５では、カード裏側の印刷層８の印刷領域を便宜的に第２印刷領域５Ｂとして示してある。
【００２５】
尚、図４のように表側に健康保険証データを全て表示するような場合、裏側の印刷領域５Ｂを、その他の情報を自由に選択表示できる情報表示領域であるフリーエリアとして、健康保険証以外の他の用途、例えば社員証等との併用領域として使用することができる。
図６は、最外面のオフセット印刷層６に前記共通印刷内容を印刷した後のカードの断面状態を模式的に示した図である。
【００２６】
次に、上述したリサイクルカードを印刷処理するための本発明に係るカード処理装置について説明する。
図７は、本発明のカード処理装置の一実施形態を備えた健康保険証カード発行管理装置の構成を示すブロック図である。
図７において、健康保険証カード発行管理装置２０は、データ等の入力を行う入力部であるキーボード２１と、キーボード２１から入力されるデータ（被保険者の氏名及び住所、生年月日、被扶養者氏名、記号、番号、事業所所在地及び名称等）を記録管理するためのデータベース２２と、カード更新時等のデータ変更の際に後述するカード処理装置３０で読み取ったデータを一時的に記憶するメモリ部２３と、入力操作のガイダンス等を表示するため表示部２４と、データベース２２内の指定された表示情報をリサイクルカード１（リサイクルカード１′又は１″でもよい）に印刷処理する本発明のカード処理装置３０と、キ−ボード２１の入力操作に従ってデータベース２２、メモリ部２３、表示部２４及びカード処理装置３０の動作を制御する制御部２５とを備える。ここで、キ−ボード２１、データベース２２、メモリ部２３、表示部２４及び制御部２５でデータ管理手段を構成する。
【００２７】
前記カード処理装置３０は、図８に示すように、指定された被保険者データをデータベース２２から取り込み、予め設定された表示情報と印刷方法と印字位置の対応関係に基づいてカードの実際の印刷レイアウト形式にした後述する表示印刷データテーブルに配置して記憶する記憶手段としてのメモリ部３１と、メモリ部３１内の表示印刷データテーブルの表示情報を印刷するサーマルヘッドを備えた感熱式印刷手段としての印刷処理部３２と、カード１のＩＣチップへのデータ書込み及びＩＣチップ内のデータ消去を行うリード／ライト部３３と、カードを搬送する搬送手段としてのカード搬送処理部３４と、カードの搬送状態等を検出する位置検出手段としてのカード検出部３５と、カードの処理状態やカード発行動作時のガイダンス等を表示する表示部３６と、キーボード２１からの発行命令操作によりカード検出部３５からの検出出力及びメモリ部３１の記憶内容に従って前記メモリ部３１、印刷処理部３２、リード／ライト部３３、カード搬送処理部３４及び表示部３６の動作を制御する制御手段としての制御部３７とを備えて構成される。尚、図示しないが、カード処理装置３０には、例えば縦型や横型等カードの印刷形態の変更に応じたカード処理装置３０の設定等を行うためのキーボードユニットが備えられている。
【００２８】
次に、健康保険証カード発行管理装置２０による健康保険証カード発行動作を説明する。
まず、新規発行の場合について図９のフローチャートを参照して説明する。
ステップ１（図中Ｓ１とし、以下同様とする。）では、健康保険証カード発行管理装置２０の電源をオンすることで入力ガイダンスが表示部２４に表示される。
【００２９】
ステップ２では、入力ガイダンスに従ってカードを発行してもらう被保険者の健康保険証データとして記号及び番号をキーボード２１で入力する。尚、データベース２２には、図１１に示すように、記号及び番号と対応付けて被保険者データが既にデータベース化されて記録管理されているものとする。
ステップ３では、入力された記号及び番号に基づいてデータベース２２内から対応する被保険者に関するデータをカード処理装置３０のメモリ部３１に伝送する。
【００３０】
ステップ４では、カードの挿入を促すガイダンスを両表示部２４，３６に表示する。
ステップ５では、表示されたガイダンスに従ってカード１をカード処理装置３０のカード挿入口（図示せず）に挿入する。
ステップ６では、挿入されたカードが健康保険証用カードか否かを判定し、健康保険証用カードであればステップ７に進む。尚、ＩＣカードや磁気カードであれば予め健康保険証用カードを示すデータを記録しておけばそのデータを読み込むことで判定できる。また、通常のカードの場合は、例えばカードの所定位置にバーコード等を付し、バーコード読取り装置を付加して判定できる。
【００３１】
ステップ７では、カードが正しく挿入されたか否かを判定する。即ち、カードの表裏及び挿入方向が正しいかどうかを判定し、正しいと判定されればステップ９に進む。尚、磁気カードであれば記録データが読めないことにより表裏及び挿入方向の判定は可能である。また、ＩＣカードや通常カードでは、例えばカードの所定位置にバーコード等を付すこと等により表裏及び挿入方向の判定が可能である。前記ステップ６、７のいずれかでＮＯと判定された時は、ステップ８に進みカード搬送処理部３４を制御して挿入されたカードを排出し、ステップ４に戻り、カードの再挿入を促すガイダンスを表示する。
【００３２】
ステップ９では、ステップ３でメモリ部３１に取り込まれたデータをリード／ライト部３３でカード１のＩＣチップに書き込む。
ステップ１０では、メモリ部３１に取り込まれたデータの表示情報、印刷方法及び印字位置の対応関係に基づいてこれらデータを表示印刷データテーブルに配置し、この表示印刷データテーブルに基づいて後述する図１０のフローチャートに従ってサーマル印刷領域とロイコリライト印刷領域に分けて印刷処理部３２を制御して表示情報の印刷を実行する。
【００３３】
ステップ１１では、ステップ１０の印刷処理終了によりカードを排出する。
前記ステップ１０の印刷処理動作の詳細を図１０のフローチャートで説明する。
ステップ２１では、メモリ部３１にデータを取り込む際に図１２のような表形式で記憶した表示情報と印刷方法と印字位置の対応関係に基づいてデータを図１３のような表示印刷データテーブルに配置する。
【００３４】
ステップ２２では、表示印刷データテーブルを参照してサーマル印字データがあるか否かを判定し、あればステップ２３に進み、なければステップ２３を飛び越してステップ２４に進む。
ステップ２３では、カード検出部３５からのカード位置検出出力に基づいてカード搬送処理部３４と印刷処理部３２を同期させてサーマル印刷領域の所定位置に、印刷処理部３２のサーマルヘッドの熱エネルギ発生状態をサーマル印刷用に制御して対応するサーマル印字データを印字する。サーマル印刷動作が終了すると一端カードを印字開始の初期位置に送り返す。
【００３５】
ステップ２４では、印刷処理部３２のサーマルヘッドの熱エネルギ発生状態をロイコリライト印刷用に切換え制御して、ステップ２３と同様にしてロイコリライト印刷領域の所定位置に、対応するロイコリライト印字データを印字する。
次に、更新（又は変更）時の場合について図１４及び図１５のフローチャートを参照して説明する。
【００３６】
ステップ３１〜３５までは、図９の新規発行動作におけるステップ４〜８と同様であるので説明を省略する。ステップ３４でカードの挿入が正しいと判定されるとステップ３６に進む。
ステップ３６では、挿入したカード１のＩＣチップに記録されている記号・番号を読み取る。
【００３７】
ステップ３７では、読み取った記号・番号データからデータベース内の対応する被保険者データをメモリ部２２に取り込む。
ステップ３８では、変更するデータをキーボード２１で入力する。
ステップ３９では、変更されたメモリ部２２のデータをデータベースに伝送してデータベースを更新すると共に、カード処理装置３０のメモリ部３１に伝送する。
【００３８】
ステップ４０では、図１２及び図１３の対応関係表及び表示印刷データテーブルに基づいて変更箇所の印字エリアを判別する。印字データでなければステップ４１に進み、ロイコリライト印字エリアであればステップ４３に進み、サーマル印字エリアであればステップ４５に進む。
印字データでなくステップ４１に進んだ場合は、ステップ４１でＩＣチップの対応するデータを書き換え、ステップ４２でカードを排出して終了する。
【００３９】
ロイコリライト印字エリアと判定されステップ４３に進んだ場合は、ステップ４３で、ステップ４１と同様にＩＣチップ内のデータ書き換えを実行した後、ステップ４４で、ロイコリライト印字エリアの変更された表示情報を書き換え、ステップ４２でカードを排出して終了する。
サーマル印字エリアと判定されステップ４５に進んだ場合は、データの書き換えができないので、カードの廃棄処理を実行した後、新規にカードを発行する。
【００４０】
即ち、ステップ４５〜４７で、ＩＣチップ内のデータ消去、ロイコリライト印字エリアの表示情報消去、サーマル印字エリアに抹消済みの印字を実行した後、ステップ４８でカードを排出する。これにより、カードの廃棄処理が終了する。その後、ステップ４９で、カードの新規発行処理が実行される。ステップ４９の新規発行処理は図９のフローチャートのステップ４〜１１と同様の動作となる。
【００４１】
かかる構成によれば、リサイクルカードに印刷する表示情報の内容別に定めた所定領域に、対応する表示情報を一回の処理で印刷できるようになる。また、データベースを設ければ個人の情報を記録管理することで、健康保険証等の発行、更新処理が容易にできる。更には、ＩＣチップに対するデータ処理機能を有するので、ＩＣカードに対しても表示情報の印刷及びデータ処理が同時に可能である。更に加えて、カードの書き換えできないサーマル印刷領域に対する抹消済印字機能を有するので、確実にカードの抹消処理ができ廃棄する無効なカードと有効なカードの混在を確実に防止できるようになる。
【００４２】
尚、図４（Ｂ）に示したようなフリーエリアは、カード裏側に限らず、カードの表側或いは表裏両面に設けてもよい。また、フリーエリアの表示情報は、印刷情報に限らず写真等を貼り付ける等、使用目的に応じて自由に選択できる。
【００４３】
【発明の効果】
以上説明したように本発明のカード処理装置によれば、カード発行後に書き換えない表示情報と書き換えの可能性がある表示情報をカード発行時にそれぞれ所定の印刷領域に１回の処理で印刷できる。
【００４５】
請求項２の発明によれば、表示情報の変更に伴うカードの更新発行ができる。
請求項３の発明によれば、横型カードや縦型カードの印刷にも対応できる。
【００４６】
請求項４の発明によれば、ＩＣカードへの印刷処理に加えてＩＣに対するデータ処理ができる。
請求項５、６の発明によれば、健康保険証の発行、更新が容易にできる。
【図面の簡単な説明】
【図１】本発明に係るカード処理装置で印刷処理するリサイクルカードの第１実施形態の積層状態の概略構成図
【図２】本発明に係るカード処理装置で印刷処理するリサイクルカードの第２実施形態の積層状態の概略構成図
【図３】本発明に係るカード処理装置で印刷処理するリサイクルカードの第３実施形態の積層状態の概略構成図
【図４】健康保険証カードへの適用例を示す図で、（Ａ）は表面、（Ｂ）裏面を示す図
【図５】健康保険証カードへの別の適用例を示す図で、（Ａ）は表面、（Ｂ）裏面を示す図
【図６】リサイクルカードの第１実施形態のオフセット印刷層に印刷した後のカード断面状態を示す模式図
【図７】本発明に係るカード処理装置の一実施形態を適用した健康保険証カード発行管理装置を示すブロック図
【図８】本発明係るカード処理装置の一実施形態を示すブロック図
【図９】新規発行動作のフローチャート
【図１０】図９のフローチャートにおける印刷処理動作のフローチャート
【図１１】データベースのデータ管理形態の例を示す図
【図１２】表示情報、印刷方法及び印字位置の対応関係表を示す図
【図１３】表示印刷データテーブルの例を示す図
【図１４】更新発行動作のフローチャート
【図１５】図１４に続くフローチャート
【符号の説明】
１、１′、１″    リサイクルカード
２    ＩＣ埋込層
３、４    基材層
５    印刷層
５Ａ    第１印刷領域
５Ｂ    第２印刷領域
３０    カード処理装置
３１    メモリ部
３２    印刷処理部
３３    リード／ライト部
３４    カード搬送処理部
３５    カード検出部
３７    制御部
【図１】
0004683751.tif 000002
【図２】
0004683751.tif 000003
【図３】
0004683751.tif 000004
【図４】
0004683751.tif 000005
【図５】
0004683751.tif 000006
【図６】
0004683751.tif 000007
【図７】
0004683751.tif 000008
【図８】
0004683751.tif 000009
【図９】
0004683751.tif 000010
【図１０】
0004683751.tif 000011
【図１１】
0004683751.tif 000012
【図１２】
0004683751.tif 000013
【図１３】
0004683751.tif 000014
【図１４】
0004683751.tif 000015
【図１５】
0004683751.tif 000016